(57)【要約】      （修正有）【課題】接着物品に関し、特に物品への接着位置を何回でも変更可能な接着層を有する接着物品の提供。【解決手段】本体１０と、１次剥離シート２０と、少なくとも１つの２次剥離シート３１群とを具備し、本体１０は、その裏面に接着層１１を有し、接着層１１は、位置決めゾーン１１１と接着ゾーン１１２からなる。１次剥離シート２０と、少なくとも１つの２次剥離シート３１群とは、各々位置決めゾーン１１１と接着ゾーン１１２に積層され、位置決めゾーン１１１と、接着ゾーン１１２と、１次剥離シート２０と、少なくとも１つの２次剥離シート３１群を用いることによって、接着物品は十分な接着力を維持し、本体の取り外し及び接着を繰り返しても、本体は当初の形態を維持し、本体が使用者の指又は本体自体にひっつくのを防止することができる。各２次剥離シート３１の補強部３１２が、引張部３１１と各２次剥離シート３１の内縁との間の構造的強度を補強する。【選択図】図２
2015007215.tif 000002
【特許請求の範囲】
【請求項１】
裏面に、位置決めゾーンと接着ゾーンからなる接着層を積層した本体と、
前記位置決めゾーンに積層された１次剥離シートと、
前記接着ゾーンに積層された少なくとも１つの２次剥離シート群と、を具備する接着物品。
【請求項２】
前記少なくとも１つの２次剥離シート群の各２次剥離シート群が、２枚の２次剥離シートを有することを特徴とする請求項１記載の接着物品。
【請求項３】
前記少なくとも１つの２次剥離シート群の各２次剥離シート群の２枚の２次剥離シートが、前記１次剥離シートの２つの対向する側に位置することを特徴とする請求項２記載の接着物品。
【請求項４】
前記少なくとも１つの２次剥離シート群の各２次剥離シート群の各２次剥離シートが、前記２次剥離シートの内縁に位置し、前記本体の裏面に折り曲げられた引張部を有することを特徴とする請求項２記載の接着物品。
【請求項５】
前記各２次剥離シートの前記引張部は、前記本体の縁から外方に突出した状態で伸延することを特徴とする請求項４記載の接着物品。
【請求項６】
前記各２次剥離シートの前記引張部は、1センチメートル〜２センチメートルの範囲で、前記本体の縁から外方に突出した状態に伸延することを特徴とする請求項５記載の接着物品。
【請求項７】
前記少なくとも１つの２次剥離シート群の各２次剥離シート群の各２次剥離シートは、前記引張部と前記２次剥離シートの内縁の間に配置され連結された補強部を有することを特徴とする請求項４記載の接着物品。
【請求項８】
前記本体の前記接着層の前記位置決めゾーンの面積は、前記接着層の全面積に対して５％〜１０％であることを特徴とする請求項４記載の接着物品。
【請求項９】
前記１次剥離シートは引張部を有することを特徴とする請求項１記載の接着物品。
【請求項１０】
前記接着物品は互いに連結された多数の２次剥離シート群を有することを特徴とする請求項１記載の接着物品。
【請求項１１】
前記本体は、前記位置決めゾーンと前記接着ゾーンの間に位置する非接着面を有することを特徴とする請求項１記載の接着物品。
【発明の詳細な説明】
【技術分野】
【０００１】
本発明は、接着物品に関し、特に、物品への接着位置を何回でも変更可能な接着層を有する接着物品に関する。
【背景技術】
【０００２】
接着層を有する接着物品は、ステッカー、ネームプレート、粘着フックなど、市場に広く出回っている。その種類如何にかかわらず、接着物品は、本体と剥離紙とを具備する。本体の表面は、標識として用いるため、または、使用方法や取扱方法を説明するため、文字や記号を有する。接着層は、本体の裏面に接着されている。剥離紙は本体の裏面を被覆している。
【０００３】
接着物品を使用する際は、まず、剥離紙を取り外し、接着層の裏面を露出させる。その後、接着層によって、本体を所定位置に直接接着する。
【０００４】
しかし、使用者が接着物品を物体に接着する際に、本体を、いつも、速やかに、適切な又は理想の接着位置に接着層によって接着することができるわけではなく、むしろ、何回か試行錯誤しなければならない場合がある。即ち、本体を不適切な位置に接着した場合は、本体を同位置から取り外し、その後、本体を、正確な又はより適切な位置に接着しなければならない場合がある。しかし、接着層はかなりの接着力を有するので、本体を不適切な位置から取り外すのは困難である。その結果、本体が損傷するか、又は、接着層の接着力が低減することになる。特に、接着物品の取り外しと再接着を多数回繰り返す場合は、本体と接着層の双方が著しく損傷することになる。
【０００５】
さらに、本体を接着したり本体を取り外す際に、剥離紙が取り外され、接着層が露出するため、しばしば使用者の指が接着層にひっついたり、本体自体が接着層にひっついたりする。その結果、いずれの場合も接着物品の使用が不便となる。
そのような接着層を有する接着物品の１つが以下のウェブページに紹介されており、これは自動車用のステッカーを提供するものである。
http://www.kantang888.com/products/16983be5.php
【０００６】
上記した問題を解決するため、本発明は、上記した問題を低減又は回避することができる、接着層を有する接着物品を提供する。
【先行技術文献】
【特許文献】
【０００７】
【特許文献１】特開２００１−３１２２０９号公報
【発明の概要】
【発明が解決しようとする課題】
【０００８】
本発明の主な目的は、接着層の十分な接着力を維持し、かつ、接着部品が当初の形態を維持して、本体が本体自体に又は使用者の指にひっつくのを防止しつつ、多数回にわたって取り外し、再接着を行うことができる接着物品を提供することにある。
【０００９】
本発明に係る接着層を有する接着物品は、本体と、１次剥離シートと、少なくとも１つの２次剥離シート群とを具備する。本体上には接着層が設けられている。本体の裏面に接着層が積層されている。接着層は位置決めゾーンと接着ゾーンからなる。１次剥離シートは位置決めゾーンに積層されている。少なくとも１つの２次剥離シート群は、接着ゾーンに積層されている。
【００１０】
本発明によれば、本体が、接着層の位置決めゾーンによって所定位置に接着されている際は、接着層の接着ゾーンは、未だ、２次剥離シート群によって被覆されている。従って、使用者の指が接着層にひっついたり、本体が接着層によって本体自体にひっついたりすることを避けることができる。さらに、所定の接着位置が不適切な位置であると分かった場合は、本体を容易に不適切な接着位置から取り外し、理想的な接着位置に移動して、再度、接着することができる。これによって、本体を損傷することなく、多数回にわたって、本体を取り外しかつ接着することができる。また、接着層の接着ゾーンは２次剥離シート群によって保護されているため、理想的な接着位置であることが確認された後に、本体を理想的な接着位置に強固に接着するために、十分な接着力を、接着ゾーンによって付与することができる。従って、本発明に係る接着層を有する接着物品は、便利であり、かつ、実用的である。
【００１１】
本発明のその他の目的、効果及び新規な特徴は、添付図面を参照した以下の詳細な説明によりさらに明らかになる。
【図面の簡単な説明】
【００１２】
【図１】本発明の第１実施例に係る接着層を有する接着物品の斜視図である。
【図２】図１に示す接着物品の分解図である。
【図３】図１に示す接着物品の前面図である。
【図４】図１に示す接着物品の背面図である。
【図５】図１に示す接着物品の第１動作説明図である。
【図６】図１に示す接着物品の第２動作説明図である。
【図７】図１に示す接着物品の第３動作説明図である。
【図８】図１に示す接着物品の第４動作説明図である。
【図９】本発明の第２実施例に係る接着層を有する接着物品の裏面図である。
【図１０】は、本発明の第３実施例に係る接着層を有する接着物品の裏面図である。
【発明を実施するための形態】
【実施例１】
【００１３】
図１を参照して説明すると、本発明に係る接着層を有する接着物品は、本体１０と、１次剥離シート２０と、２次剥離シート群３０とを具備する。
図１及び図２を参照して説明すると、本体１０は、模様部と接着層１１とを有する。模様部は、本体１０の表面に、印刷、刻印、接着、または射出成形によって形成された文字または記号から形成されている。接着層１１は本体１０の裏面に積層されており、位置決めゾーン１１１と接着ゾーン１１２とからなる。本実施例では、位置決めゾーン１１１は、接着ゾーン１１２に連結されている。
図１〜図４を参照して説明すると、１次剥離シート２０は、位置決めゾーン１１１に積層されている。１次剥離シート２０は、１次剥離シート２０の縁から伸延する引張部２１を有する。本実施例では、１次剥離シート２０の引張部２１は、本体１０の縁から外方に１〜２cmだけ突出した状態で伸延している。
図１〜図４を参照して説明すると、２次剥離シート群３０は接着ゾーン１１２に積層されている。２次剥離シート群３０は２枚の２次剥離シート３１を有する。２枚の２次剥離シート３１は、１次剥離シート２０を挟んで、２つの相互に対向する側に配置されている。各２次剥離シート３１は、同シートの内縁に位置し、２次剥離シート３１の裏面に折り曲げられた引張部３１１を有する。本実施例では、各２次剥離シート３１は、引張部３１１と２次剥離シート３１の内縁の間に配置されかつ引張部３１１と２次剥離シート３１の内縁とに連結された補強部３１２を有する。補強部３１２は、各２次剥離シート３１の内縁に沿って伸延し、その長さは、内縁の長さと等しくかつ引張部３１１の長さより長く設定されている。各２次剥離シート３１の引張部３１１は、本体１０の縁から外方に１〜２cmだけ突出した状態で伸延している。
図１、図２及び図４〜図６を参照して説明すると、１次剥離シート２０の引張部２１を引っ張ることにより、１次剥離シート２０を本体１０から取り外すと、接着層１１の位置決めゾーン１１１が露出する。その後、本体１０を、接着層１１の位置決めゾーン１１１によって、物体４０の表面４１の所定位置に接着する。
図６〜図８を参照して説明すると、所定位置を確認した後、各２次剥離シート３１の引張部１３３を引っ張る。これによって、各２次剥離シート３１が、２次剥離シート３１の内縁から外縁に向かって、接着ゾーン１１２から剥離される。一方、接着ゾーン１１２が徐々に露出し、物体４０の表面４１の所定位置に接着される。従って、本体１０は、物体４０に接着される。
まず、本体１０を、接着層１１の位置決めゾーン１１１によって所定位置に接着する。この際、接着層１１の接着ゾーン１１２は、未だ、２次剥離シート群３０によって被覆されている。従って、使用者の指が接着層１１にひっついたり、本体１０が接着層１１によって本体自体にひっついたりするのを避けることができる。
さらに、最初の段階では、本体１０は、接着層１１の位置決めゾーン１１１によって、所定位置に接着されているだけなので、所定位置が不適切であると分かった場合は、本体１０を不適切な位置から容易に取り外し、理想的な位置に移動し、再度、接着することができる。このように、本体１０を損傷することなく、多数回にわたって、本体１０を取り外しかつ接着することができる。また、接着層１１の接着ゾーン１１２は、未だ、２次剥離シート群３０で保護されているため、接着ゾーン１１２は未使用であり当初の形態を維持している。従って、接着ゾーン１１２は、本体１０を理想的な位置に強固に接着させるために十分な接着力を有する。好ましくは、接着層１１の全面積に対して、本体１０の接着層１１の位置決めゾーン１１１の面積は５％〜１０％であり、本体１０の接着層１１の接着ゾーン１１２の面積は９０％〜９５％である。
引張部３１１によって、１次剥離シート２０と２枚の２次剥離シート３０とを、接着層１１から容易に取り外すことができる。更に、各２次剥離シート３１の引張部３１１は本体１０の縁から外方に突出して伸延しているため、使用者の指は、本体１０の裏面側ではなく、本体１０の縁の外側に位置する。従って、引張部３１１を接着層から引っ張って離す際、指が２次剥離シート３１に干渉するのを防止することができる。更に、使用者は、通常、指の先の部分で引張部を引っ張るため、人間工学的な観点から、引張部３１１は本体１０の縁から外方に１センチメートル〜２センチメートルだけ突出して伸延している。
また、各２次剥離シート３１の補強部３１２が、引張部３１１と各２次剥離シート３１の内縁との間の構造的強度を補強している。従って、引張部３１１を引っ張った際に、引張部３１１が各２次剥離シート３１の内縁から容易に分離するのを防止している。各２次剥離シート３１に設けた補強部３１２によって、引張部３１１を引っ張った際に、均一な引張力が各２次剥離シート３１の内縁に付与されることになる。従って、各２次剥離シート３１を、接着ゾーン１１２から、内縁から外縁に向かって、剥離することができる。このように、接着ゾーン１１２を、順序よく、徐々に露出することができ、その後、物体４０に接着することができる。
【実施例２】
【００１４】
本実施例に係る発明は、実施例１に係る発明と同様な構成を有する。以下、本実施例に係る発明と実施例１に係る発明との相違点を説明する。
図９を参照して説明すると、接着物品は、本体と、１次剥離シート２０Aと、３枚の２次剥離シート群３０A、３０B、３０Cとを具備する。位置決めゾーンは本体の裏面の中央に位置する。接着ゾーンは、位置決めゾーンを囲んでいる。３枚の２次剥離シート群３０A、３０B、３０Cはそれぞれ、接着ゾーンに積層され、１次剥離シート２０Aに連結されている。３枚の２次剥離シート群３０A、３０B、３０Cは互いに連結されている。２次剥離シート群３０A、３０B、３０Cにおける１枚の２次剥離シート３１A、３１B、３１Cの１枚は、他の２次剥離シート群３０A、３０B、３０Cにおける２次剥離シート３１A、３１B、３１Cの他の１枚に連結されている。
【実施例３】
【００１５】
本実施例に係る発明は、実施例１に係る発明と同様な構成を有する。以下、本実施例に係る発明と実施例１に係る発明との相違点を説明する。
図１０を参照して説明すると、接着物品は、本体１０Dと、１次剥離シート２０Dと、２枚の２次剥離シート群３０D、３０Eとを具備する。位置決めゾーンは本体１０Dの裏面の中央に位置する。接着ゾーンは、位置決めゾーンを囲む。本体１０Dは、本体１０Dの裏面に位置する非接着ゾーン１２Dを有する。非接着ゾーン１２Dは、接着層の位置決めゾーンと接着ゾーンの間に位置する。各２次剥離シート群３０D、３０Eは、接着ゾーンに積層されている。２枚の２次剥離シート群３０D、３０Eは互いに連結されている。２次剥離シート群３０D、３０Eにおける１枚の２次剥離シート３１D、３１Eの１枚は、他の２次剥離シート群３０D、３０Eにおける２次剥離シート３１D、３１Eの他の１枚に連結されている。
図１、図９及び１０を参照して説明すると、２次剥離シート群３０、３０A、３０B、３０C、３０D、３０Eの数は、１又はそれ以上とすることができる。２次剥離シート群３０、３０A、３０B、３０C、３０D、３０Eの数は、本体１０、１０Dの大きさ、形状、手触りと使用者の要望によるが、これらに限られない。
上記に基づき、位置決めゾーン１１１と、接着ゾーン１１２と、１次剥離シート２０、２０A、２０Dと、少なくとも１つの２次剥離シート群３０、３０A、３０B、３０C、３０D、３０Eによって、多数回にわたって本体１０、１０Dを取り外し再接着する際、本発明に係る接着層１１を有する接着物品は十分な接着力を維持し、本体１０、１０Dは、当初の形態を維持し、本体が、本体自体に又は使用者の指に接着層がひっつくのを防止することができる。従って、上記した実施例に係る接着物品は、便利であり、かつ、実用的である。
【００１６】
上記した記載において、本発明の多くの技術的特徴や効果を、本発明の構造と特徴と共に詳細に説明してきたが、それらの記載は例示にすぎない。発明の細部、特に形状、寸法、部品の配置に関しては、添付の特許請求の範囲で用いられている用語の広汎かつ一般的な意味で最大限に提示されている本発明の要旨の範囲内で変更することができる。
【図１】
2015007215.tif 000003
【図２】
2015007215.tif 000004
【図３】
2015007215.tif 000005
【図４】
2015007215.tif 000006
【図５】
2015007215.tif 000007
【図６】
2015007215.tif 000008
【図７】
2015007215.tif 000009
【図８】
2015007215.tif 000010
【図９】
2015007215.tif 000011
【図１０】
2015007215.tif 000012